(57)【要約】  エレベータのかご天井装置において、天井ユニットは、上枠と、上枠に保持されている複数の天井板部材とを有している。上枠は、互いに平行に配置されている一対の第１梁と、一対の第１梁のそれぞれの一端部同士を連結している第２梁と、一対の第１梁のそれぞれの他端部同士を連結している第３梁と、第２梁と第３梁との間に配置され、一対の第１梁同士を連結している第１の中間梁とを複数の梁として有している。上枠には、４つの梁で囲まれた複数の開口部が形成されている。天井板部材は、複数の開口部のそれぞれに配置されている。また、天井板部材は、開口部を囲む４つの梁のそれぞれに保持されている。
2019176105.tif 000002
【特許請求の範囲】
【請求項１】
上枠と、前記上枠に保持されている複数の天井板部材とを有する天井ユニット
を備え、
前記上枠は、互いに平行に配置されている一対の第１梁と、前記一対の第１梁のそれぞれの一端部同士を連結している第２梁と、前記一対の第１梁のそれぞれの他端部同士を連結している第３梁と、前記第２梁と前記第３梁との間に配置され、前記一対の第１梁同士を連結している第１の中間梁とを複数の梁として有し、
前記上枠には、４つの前記梁で囲まれた複数の開口部が形成され、
前記天井板部材は、前記複数の開口部のそれぞれに配置され、
前記天井板部材は、前記開口部を囲む４つの前記梁のそれぞれに保持されているエレベータのかご天井装置。
【請求項２】
前記天井板部材は、本体板部と、前記本体板部の外周部に設けられた４つの取付部とを有し、
前記天井板部材における前記４つの取付部は、前記天井板部材が配置された前記開口部を囲む前記４つの梁にそれぞれ取り付けられ、
前記天井板部材における前記４つの取付部のうちの少なくとも３つの前記取付部は、前記本体板部から上方へ突出する縦板部と、前記縦板部の上端部から前記本体板部の外側へ突出して前記梁に載せられている横板部とを有している請求項１に記載のエレベータのかご天井装置。
【請求項３】
前記天井ユニットに保持されている第１の中間照明ユニット
を備え、
各前記天井板部材のそれぞれの下面は、前記第１の中間梁の下面よりも低い位置に配置され、
前記第１の中間照明ユニットは、前記第１の中間梁を挟んで配置されている２つの前記天井板部材の間に配置されているとともに、前記第１の中間梁の下方に配置されている請求項１又は請求項２に記載のエレベータのかご天井装置。
【請求項４】
前記第１の中間梁には、第１の凹部が設けられ、
前記第１の中間梁は、前記第１の凹部を下方に向けて配置され、
前記第１の中間照明ユニットの少なくとも一部は、前記第１の凹部に配置されている請求項３に記載のエレベータのかご天井装置。
【請求項５】
前記上枠は、前記一対の第１梁と、前記第２梁と、前記第３梁と、前記第１の中間梁と、一対の第２の中間梁とを複数の梁として有し、
前記一対の第２の中間梁のうち、一方の前記第２の中間梁は、前記第２梁と前記第１の中間梁との間に配置されて前記第２梁及び前記第１の中間梁を連結し、
他方の前記第２の中間梁は、前記第３梁と前記第１の中間梁との間に配置されて前記第３梁及び前記第１の中間梁を連結している請求項１から請求項４のいずれか一項に記載のエレベータのかご天井装置。
【請求項６】
前記天井ユニットに保持されている第２の中間照明ユニット
を備え、
各前記天井板部材のそれぞれの下面は、前記第２の中間梁の下面よりも低い位置に配置され、
前記第２の中間照明ユニットは、前記第２の中間梁を挟んで配置されている２つの前記天井板部材の間に配置されているとともに、前記第２の中間梁の下方に配置されている請求項５に記載のエレベータのかご天井装置。
【請求項７】
前記第２の中間梁には、第２の凹部が設けられ、
前記第２の中間梁は、前記第２の凹部を下方に向けて配置され、
前記第２の中間照明ユニットの少なくとも一部は、前記第２の凹部に配置されている請求項６に記載のエレベータのかご天井装置。
【請求項８】
前記上枠を上から見たときの前記第２の中間梁の面積は、０．１２ｍ2以下である請求項５から請求項７のいずれか一項に記載のエレベータのかご天井装置。
【請求項９】
前記第２の中間梁の上部の幅寸法は、前記第２の中間梁の下部の幅寸法よりも小さくなっている請求項８に記載のエレベータのかご天井装置。
【請求項１０】
前記上枠を上から見たときの前記第１の中間梁の面積は、０．１２ｍ2以下である請求項１から請求項９のいずれか一項に記載のエレベータのかご天井装置。
【請求項１１】
前記第１の中間梁の上部の幅寸法は、前記第１の中間梁の下部の幅寸法よりも小さくなっている請求項１０に記載のエレベータのかご天井装置。
【請求項１２】
前記天井ユニットに保持されている端部照明ユニット
を備え、
前記第２梁及び前記第３梁の少なくともいずれかは、前記天井板部材が取り付けられている梁本体と、前記梁本体から下方へ突出する下方延長部とを有する照明ユニット設置用梁であり、
各前記天井板部材のそれぞれの下面は、前記梁本体の下面よりも低い位置に配置され、
前記端部照明ユニットは、前記照明ユニット設置用梁の前記梁本体の下方に配置されているとともに、前記天井板部材と前記下方延長部との間に配置されている請求項１から請求項１１のいずれか一項に記載のエレベータのかご天井装置。
【発明の詳細な説明】
【技術分野】
【０００１】
この発明は、上枠と上枠に設けられた天井板部材とを有する天井ユニットを備えているエレベータのかご天井装置に関するものである。
【背景技術】
【０００２】
従来、四角形状の天井板を上枠に保持して天井ユニットを構成したエレベータのかごが知られている。上枠は、天井板の３辺を保持する第１の側梁、第２の側梁及び後梁で構成されている（例えば特許文献１参照）。
【先行技術文献】
【特許文献】
【０００３】
【特許文献１】国際公開第２０１６／０３８６４２号公報
【発明の概要】
【発明が解決しようとする課題】
【０００４】
特許文献１に示されている従来のエレベータのかごでは、かごの平面サイズが大きくなると、天井板のサイズも大きくなることから、天井板の剛性が低下してしまう。このため、保守作業等の事情で作業者がかごの天井板に乗ったときに、天井板が変形してしまうおそれがある。【０００５】
この発明は、上記のような課題を解決するためになされたものであり、天井ユニットを変形しにくくすることができるエレベータのかご天井装置を得ることを目的とする。
【課題を解決するための手段】
【０００６】
この発明によるエレベータのかご天井装置は、上枠と、上枠に保持されている複数の天井板部材とを有する天井ユニットを備え、上枠は、互いに平行に配置されている一対の第１梁と、一対の第１梁のそれぞれの一端部同士を連結している第２梁と、一対の第１梁のそれぞれの他端部同士を連結している第３梁と、第２梁と第３梁との間に配置され、一対の第１梁同士を連結している第１の中間梁とを複数の梁として有し、上枠には、４つの梁で囲まれた複数の開口部が形成され、天井板部材は、複数の開口部のそれぞれに配置され、天井板部材は、開口部を囲む４つの梁のそれぞれに保持されている。
【発明の効果】
【０００７】
この発明によるエレベータのかご天井装置によれば、天井板部材の剛性を高めることができる。このため、天井ユニットを変形しにくくすることができる。
【図面の簡単な説明】
【０００８】
【図１】この発明の実施の形態１によるエレベータのかご天井装置を示す縦断面図である。
【図２】図１のＩＩ−ＩＩ線に沿った断面図である。
【図３】図１の上枠を示す上面図である。
【図４】図３のＩＶ−ＩＶ線に沿った断面図である。
【図５】図３のＶ−Ｖ線に沿った断面図である。
【図６】この発明の実施の形態２によるエレベータのかご天井装置を示す縦断面図である。
【図７】この発明の実施の形態３によるエレベータのかご天井装置を示す縦断面図である。
【図８】図７のＶＩＩＩ−ＶＩＩＩ線に沿った断面図である。
【図９】図７のＩＸ−ＩＸ線に沿った断面図である。
【図１０】図７の上枠を示す上面図である。
【発明を実施するための形態】
【０００９】
以下、この発明の実施の形態について図面を参照して説明する。
実施の形態１．
図１は、この発明の実施の形態１によるエレベータのかご天井装置を示す縦断面図である。また、図２は、図１のＩＩ−ＩＩ線に沿った断面図である。図において、エレベータのかご天井装置１は、エレベータのかごの上部に配置されている。また、かご天井装置１は、図示しないかご床の四隅に立てられた４本の縦柱のそれぞれの上端部に支持されている。これにより、かご天井装置１は、かご床の上方に配置されている。
【００１０】
かご天井装置１及びかご床には、かごの内部の空間を形成するかご壁２が固定されている。かご壁２の上端部は、かご天井装置１の外周部に固定されている。かご壁２の下端部は、かご床に固定されている。
【００１１】
かご壁２は、一対の側面壁２ａと、正面壁２ｂと、背面壁２ｃとを有している。一対の側面壁２ａは、図２に示すように、かごの幅方向について互いに対向している。正面壁２ｂと背面壁２ｃとは、図１に示すように、かごの奥行き方向について互いに対向している。正面壁２ｂには、かご出入口３が設けられている。かご出入口３の間口方向は、かごの幅方向と一致している。正面壁２ｂは、かご出入口３の左右両側に位置する一対の袖壁部を有している。
【００１２】
かご天井装置１は、天井ユニット４と、天井ユニット４に保持されている第１の中間照明ユニット５とを有している。
【００１３】
天井ユニット４は、各縦柱のそれぞれの上端部に支持されている上枠６と、上枠６に複数の天井板部材として保持されている第１の天井板部材７及び第２の天井板部材８とを有している。
【００１４】
図３は、図１の上枠６を示す上面図である。また、図４は、図３のＩＶ−ＩＶ線に沿った断面図である。さらに、図５は、図３のＶ−Ｖ線に沿った断面図である。上枠６は、互いに平行に配置されている一対の第１梁９と、一対の第１梁９のそれぞれの一端部同士を連結している第２梁１０と、一対の第１梁９のそれぞれの他端部同士を連結している第３梁１１と、第２梁１０と第３梁１１との間に配置されている第１の中間梁１２とを複数の梁として有している。第１の中間梁１２は、一対の第１梁９のそれぞれの中間部同士を連結している。上枠６は、各第１梁９、第２梁１０、第３梁１１及び第１の中間梁１２をそれぞれ水平にして配置されている。
【００１５】
この例では、一対の第１梁９のそれぞれがかごの奥行き方向に沿って配置されている。また、この例では、第２梁１０、第３梁１１及び第１の中間梁１２のそれぞれがかごの幅方向に沿って配置されている。さらに、この例では、図２に示すように、各第１梁９が各側面壁２ａの上方に側梁としてそれぞれ配置されている。また、この例では、図１に示すように、第２梁１０がかご出入口３の上方に前梁として配置され、第３梁１１が背面壁２ｃの上方に後梁として配置されている。
【００１６】
一対の第１梁９のそれぞれは、図５に示すように、水平に配置された下板部９ａと、下板部９ａの上方に位置する上板部９ｂと、下板部９ａ及び上板部９ｂ間を繋ぐ側板部９ｃとを有している。また、第１梁９の長手方向に直交する平面における第１梁９の断面形状は、下板部９ａ、上板部９ｂ及び側板部９ｃによってＵ字状になっている。これにより、一対の第１梁９のそれぞれには、下板部９ａ、上板部９ｂ及び側板部９ｃによって形成された溝が第１梁９の長手方向に沿って設けられている。一対の第１梁９は、各第１梁９のそれぞれの溝の開放部をかごの幅方向に互いに対向させた状態で配置されている。
【００１７】
第２梁１０は、図４に示すように、水平に配置された下板部１０ａと、下板部１０ａから上方へ突出している側板部１０ｂとを有している。また、第２梁１０の長手方向に直交する平面における第２梁１０の断面形状は、下板部１０ａ及び側板部１０ｂによってＬ字状になっている。
【００１８】
第３梁１１は、水平に配置された下板部１１ａと、下板部１１ａから上方へ突出している側板部１１ｂとを有している。また、第３梁１１の長手方向に直交する平面における第３梁１１の断面形状は、下板部１１ａ及び側板部１１ｂによってＬ字状になっている。
【００１９】
第２梁１０及び第３梁１１は、図４に示すように、第２梁１０及び第３梁１１のそれぞれの下板部１０ａ，１１ａをかごの奥行き方向に互いに対向させた状態で配置されている。各第１梁９、第２梁１０及び第３梁１１のそれぞれの下面は、同一の水平面に位置している。また、各第１梁９、第２梁１０及び第３梁１１のそれぞれの下面は、上枠６の下面を構成している。
【００２０】
第１の中間梁１２は、図４に示すように、水平に配置された上板部１２ａと、上板部１２ａの両側部からそれぞれ下方へ突出している一対の側板部１２ｂとを有している。また、第１の中間梁１２の長手方向に直交する平面における第１の中間梁１２の断面形状は、上板部１２ａ及び一対の側板部１２ｂによってＵ字状になっている。これにより、第１の中間梁１２には、上板部１２ａ及び一対の側板部１２ｂによって形成された第１の凹部としての溝１３が第１の中間梁１２の長手方向に沿って設けられている。第１の中間梁１２は、第１の中間梁１２の溝１３を下方に向けて配置されている。この例では、第１の中間梁１２の高さ方向のどの位置でも第１の中間梁１２の幅寸法が一定となっている。また、この例では、図５に示すように、第１の中間梁１２の両端部が一対の第１梁９のそれぞれの下板部９ａの上面に載せられている。これにより、この例では、第１の中間梁１２の下面の位置が各第１梁９の下面よりも高い位置となっている。また、この例では、上枠６を上から見たときの第１の中間梁１２の面積が０．１２ｍ2以下になっている。即ち、第１の中間梁１２の幅方向寸法Ｗ１と、第１の中間梁１２の長手方向寸法Ｌ１との積、即ちＷ１×Ｌ１の値が０．１２ｍ2以下になっている。
【００２１】
上枠６には、図３に示すように、一対の第１梁９、第２梁１０、第３梁１１及び第１の中間梁１２のうち、４つの梁でそれぞれ囲まれた第１の開口部１４及び第２の開口部１５が複数の開口部として形成されている。第１の開口部１４は、一対の第１梁９、第２梁１０及び第１の中間梁１２で囲まれている。第２の開口部１５は、一対の第１梁９、第３梁１１及び第１の中間梁１２で囲まれている。第１及び第２の開口部１４，１５のそれぞれの形状は、四角形状である。
【００２２】
第１及び第２の天井板部材７，８は、図１〜図３に示すように、第１及び第２の開口部１４，１５にそれぞれ個別に配置されている。第１の天井板部材７は、第１の天井板部材７が配置された第１の開口部１４を囲む４つの梁のそれぞれに保持されている。即ち、第１の天井板部材７は、一対の第１梁９、第２梁１０及び第１の中間梁１２のそれぞれに保持されている。第２の天井板部材８は、第２の天井板部材８が配置された第２の開口部１５を囲む４つの梁のそれぞれに保持されている。即ち、第２の天井板部材８は、一対の第１梁９、第３梁１１及び第１の中間梁１２のそれぞれに保持されている。
【００２３】
第１及び第２の天井板部材７，８のそれぞれは、本体板部２１と、本体板部２１の外周部に設けられた４つの取付部２２とを有している。本体板部２１及び４つの取付部２２は、一枚の単一板を折り曲げることによって一体に形成されている。
【００２４】
第１及び第２の天井板部材７，８のそれぞれは、本体板部２１を水平にした状態で上枠６に保持されている。また、第１及び第２の天井板部材７，８のそれぞれの下面の位置は、上枠６の下面よりも低い位置となっている。この例では、第１及び第２の天井板部材７，８のそれぞれの本体板部２１の全体が上枠６の下面よりも低い位置に配置されている。本体板部２１の下面は、かごの内部の空間に露出する天井意匠面である。本体板部２１の上面は、作業者が乗ることが可能な天蓋面である。
【００２５】
第１の天井板部材７の本体板部２１の形状は、第１の開口部１４の形状に合わせた四角形状になっている。第２の天井板部材８の本体板部２１の形状は、第２の開口部１５の形状に合わせた四角形状になっている。即ち、各天井板部材の本体板部２１の形状は、天井板部材が配置される開口部の形状に合わせた形状になっている。
【００２６】
４つの取付部２２は、四角形状の本体板部２１の４つの辺に個別に設けられている。各天井板部材における４つの取付部２２は、天井板部材が配置された開口部を囲む４つの梁にそれぞれ取り付けられている。即ち、第１の天井板部材７における４つの取付部２２は、第１の開口部１４を囲む各第１梁９、第２梁１０及び第１の中間梁１２にそれぞれ取り付けられている。また、第２の天井板部材８における４つの取付部２２は、第２の開口部１５を囲む各第１梁９、第３梁１１及び第１の中間梁１２にそれぞれ取り付けられている。
【００２７】
各取付部２２は、本体板部２１の４つの辺に沿って配置されている。また、各取付部２２は、本体板部２１から上方へ突出する縦板部２２ａと、縦板部２２ａの上端部から本体板部２１の外側へ水平に突出する横板部２２ｂとを有している。縦板部２２ａ及び横板部２２ｂは、板のＺ曲げによって形成されている。各取付部２２は、横板部２２ｂを梁に載せた状態で当該梁に取り付けられている。
【００２８】
第１の天井板部材７は、一対の第１梁９のそれぞれの下板部９ａの上面、第２梁１０の下板部１０ａの上面及び第１の中間梁１２の上板部１２ａの上面に４つの取付部２２のそれぞれの横板部２２ｂを載せた状態で上枠６に保持されている。第２の天井板部材８は、一対の第１梁９のそれぞれの下板部９ａの上面、第３梁１１の下板部１１ａの上面及び第１の中間梁１２の上板部１２ａの上面に４つの取付部２２のそれぞれの横板部２２ｂを載せた状態で上枠６に保持されている。
【００２９】
第１の中間梁１２の上板部１２ａの上面の位置は、各下板部９ａ，１０ａ及び１１ａの上面よりも高い位置である。第１及び第２の天井板部材７，８のそれぞれでは、図１に示すように、本体板部２１が水平に配置されるように、第１の中間梁１２に取り付けられている取付部２２の縦板部２２ａの高さが他の３つの取付部２２の縦板部２２ａの高さよりも高くなっている。
【００３０】
第１梁９に取り付けられている取付部２２の横板部２２ｂは、第１梁９の下板部９ａに締結具によって固定されている。第１梁９に取り付けられている取付部２２の縦板部２２ａには、図２に示すように、かごの側面壁２ａの上端部が締結具によって固定されている。
【００３１】
第２梁１０に取り付けられている取付部２２の横板部２２ｂは、第２梁１０の下板部１０ａに締結具によって固定されている。第２梁１０に取り付けられている取付部２２の縦板部２２ａには、図１に示すように、かごの正面壁２ｂの上端部が締結具によって固定されている。
【００３２】
第３梁１１に取り付けられている取付部２２の横板部２２ｂは、第３梁１１の下板部１１ａに締結具によって固定されている。第３梁１１に取り付けられている取付部２２の縦板部２２ａには、図１に示すように、かごの背面壁２ｃの上端部が締結具によって固定されている。
【００３３】
第１の中間梁１２に取り付けられている取付部２２の横板部２２ｂは、第１の中間梁１２の上板部１２ａに締結具によって固定されている。第１の中間梁１２に取り付けられている取付部２２の縦板部２２ａの下部の位置は、第１の中間梁１２の下面の位置よりも低い位置となっている。これにより、第１の中間梁１２を挟んで配置されている２つの縦板部２２ａのそれぞれの下部は、第１の中間梁１２の下方の空間を介して互いに対向している。即ち、第１の中間梁１２を挟んで配置されている第１及び第２の天井板部材７，８の間には、第１の中間梁１２の下方に存在する空間が介在している。
【００３４】
天井ユニット４は、上枠６、第１の天井板部材７及び第２の天井板部材８が組み立てられることにより製造される。上枠６、第１の天井板部材７及び第２の天井板部材８は、かご天井装置１の出荷時又はかご天井装置１の据付時に組み立てられる。
【００３５】
第１の中間照明ユニット５は、第１及び第２の天井板部材７，８の間に配置されている。また、第１の中間照明ユニット５は、第１の中間梁１２の下方に配置されている。第１の中間照明ユニット５は、かごの内部の空間に対する照明を行う。この例では、第１の中間照明ユニット５が第１の中間梁１２の長手方向に沿って配置されている。また、この例では、第１の中間照明ユニット５の下面が第１及び第２の天井板部材７，８のそれぞれの下面、即ち天井意匠面と同一の水平面に位置している。第１の中間照明ユニット５の下面は、第１及び第２の天井板部材７，８のそれぞれの下面よりも高い位置に位置していてもよい。第１の中間照明ユニット５は、第１の中間梁１２を挟んで配置されている２つの縦板部２２ａのそれぞれに締結具によって固定されている。
【００３６】
このようなかご天井装置１では、４つの梁でそれぞれ囲まれた第１及び第２の開口部１４，１５が複数の開口部として上枠６に形成されている。また、第１の開口部１４に配置された第１の天井板部材７が第１の開口部１４を囲む４つの梁のそれぞれに保持され、第２の開口部１５に配置された第２の天井板部材８が第２の開口部１５を囲む４つの梁のそれぞれに保持されている。このため、かごの平面サイズが大きくなっても、かごの平面サイズよりも小さいサイズの第１及び第２の天井板部材７，８を複数の天井板部材として上枠６に保持することができる。これにより、天井ユニット４の剛性の低下を抑制することができる。従って、作業者が天井ユニット４に乗った場合でも、天井ユニット４を変形しにくくすることができる。また、第１及び第２の天井板部材７，８のそれぞれによって天井ユニット４の剛性の低下が抑制されることから、かごの内部の空間に露出する天井意匠面と、作業者が乗る天蓋面とを共通の天井板部材に形成することができる。このため、かご天井装置１の部品点数を削減することができ、かご天井装置１のコストの低減化、かご天井装置１の軽量化及びかご天井装置１の製造作業の効率化を図ることができる。
【００３７】
また、本体板部２１の外周部に設けられた４つの取付部２２は、本体板部２１から上方へ突出する縦板部２２ａと、縦板部２２ａから本体板部２１の外側へ突出する横板部２２ｂとを有している。このため、第１及び第２の天井板部材７，８のそれぞれの剛性を高めることができる。また、縦板部２２ａにかご壁２の上端部を固定することができる。このため、かご壁２に対するかご天井装置１の固定部としての機能を縦板部２２ａに持たせることができ、かご天井装置１の部品点数をさらに減らすことができる。さらに、横板部２２ｂを梁に載せた状態で各取付部２２を梁に取り付けることにより、取付部２２を梁に固定する締結具が緩んだり外れたりした場合でも、第１及び第２の天井板部材７，８が上枠６から落下することを防止することができる。
【００３８】
また、第１の中間照明ユニット５は、第１の中間梁１２を挟んで配置されている第１及び第２の天井板部材７，８の間に配置され、かつ第１の中間梁１２の下方に配置されている。このため、第１及び第２の天井板部材７，８のそれぞれの下面の高さから第１の中間照明ユニット５の一部がかごの内部の空間へ突出することを防止することができる。これにより、かごの内部の空間でのかご天井装置１の意匠性の向上を図ることができる。また、かごの内部の空間に入った運搬物が第１の中間照明ユニット５に当たることを防止することができる。これにより、第１の中間照明ユニット５の破損の防止を図ることもできる。さらに、第１の中間照明ユニット５が第１の中間梁１２の下方に配置されていることから、第１の中間照明ユニット５を配置するスペースを第１及び第２の天井板部材７，８に新たに確保する必要がなくなる。従って、第１の中間照明ユニット５が天井ユニット４に設置されても第１及び第２の天井板部材７，８のそれぞれの天蓋面の広さが狭くなることはない。これにより、かごの上部で作業する作業者のスペースを十分に確保することができる。
【００３９】
また、上枠６を上から見たときの第１の中間梁１２の面積は、０．１２ｍ2以下である。このため、作業者が第１の中間梁１２の上面に立ってバランスをとることができないようにすることができる。これにより、第１の中間梁１２の上面よりも低い位置に配置された本体板部２１の天蓋面に作業者が乗って作業を行う状態をより確実に確保することができる。従って、かごの上部に設置されているかご上手摺の高さの設定を、天井板部材の本体板部２１の天蓋面を基準にして行うことができ、かご上手摺の高さの増大を抑制することができる。これにより、エレベータのオーバヘッド寸法、即ち最上階の床面と昇降路の天井部との間の距離を小さくすることができる。
【００４０】
なお、上記の例では、上枠６に含まれる第１の中間梁１２の数が１つとなっている。しかし、上枠６に含まれる第１の中間梁１２の数を複数にしてもよい。この場合、複数の第１の中間梁１２は、第１梁９の長手方向へ互いに離して配置される。また、この場合、各第１の中間梁１２が一対の第１梁９同士をそれぞれ連結する。さらに、この場合、上枠６に形成された複数の開口部のそれぞれに天井板部材が個別に配置される。また、この場合、開口部を囲む４つの梁のそれぞれに天井板部材が保持される。このようにすれば、かごの平面サイズがさらに大きくなっても、各天井板部材のそれぞれのサイズの増大を抑制することができ、天井ユニット４を変形しにくくすることができる。
【００４１】
また、上枠６に含まれる第１の中間梁１２の数を複数にした場合、各第１の中間梁１２のそれぞれの下方に第１の中間照明ユニット５をそれぞれ配置してもよい。この場合、第１の中間梁１２を挟む２つの天井板部材の間に第１の中間照明ユニット５が配置される。このようにすれば、かごの内部の空間において照明の範囲を広げることができる。
【００４２】
実施の形態２．
図６は、この発明の実施の形態２によるエレベータのかご天井装置を示す縦断面図である。かご天井装置１は、天井ユニット４と、天井ユニット４にそれぞれ保持されている第１の中間照明ユニット５及び一対の端部照明ユニット３１，３２とを有している。第１の中間照明ユニット５及び一対の端部照明ユニット３１，３２は、かごの内部の空間に対する照明を行う。
【００４３】
天井ユニット４は、上枠６と、上枠６に複数の天井板部材として保持されている第１の天井板部材７及び第２の天井板部材８とを有している。
【００４４】
上枠６は、互いに平行に配置されている一対の第１梁９と、一対の第１梁９のそれぞれの一端部同士を連結している第２梁３３と、一対の第１梁９のそれぞれの他端部同士を連結している第３梁３４と、第２梁３３と第３梁３４との間に配置されている第１の中間梁１２とを複数の梁として有している。第１の中間梁１２は、一対の第１梁９のそれぞれの中間部同士を連結している。上枠６は、各第１梁９、第２梁３３、第３梁３４及び第１の中間梁１２をそれぞれ水平にして配置されている。一対の第１梁９及び第１の中間梁１２のそれぞれの構成は、実施の形態１と同様である。
【００４５】
第２梁３３は、第１の天井板部材７が取り付けられている梁本体３３１と、梁本体３３１から下方へ突出する下方延長部３３２とを有する照明ユニット設置用梁である。
【００４６】
梁本体３３１は、水平に配置された上板部３３１ａと、上板部３３１ａの両側部からそれぞれ下方へ突出する一対の側板部３３１ｂとを有している。第２梁３３の長手方向に直交する平面における梁本体３３１の断面形状は、上板部３３１ａ及び一対の側板部３３１ｂによってＵ字状になっている。これにより、梁本体３３１には、上板部３３１ａ及び一対の側板部３３１ｂによって形成された凹部としての溝が第２梁３３の長手方向に沿って設けられている。第２梁３３は、梁本体３３１の溝を下方に向けて配置されている。梁本体３３１の長手方向両端部は、一対の第１梁９のそれぞれの下板部９ａの上面に載せられている。
【００４７】
各第１梁９の一端部のそれぞれの下板部９ａには、下方延長部３３２を通す切欠き部が設けられている。下方延長部３３２は、梁本体３３１の一対の側板部３３１ｂのうち、第１の天井板部材７から遠い側に位置する側板部３３１ｂの下端部から下方へ突出している。これにより、第１の天井板部材７の縦板部２２ａと下方延長部３３２とは、第２梁３３の梁本体３３１の下方の空間を介して互いに対向している。第２梁３３の下方延長部３３２の外面には、正面壁２ｂの上端部が締結具によって固定されている。
【００４８】
第３梁３４は、第２の天井板部材８が取り付けられている梁本体３４１と、梁本体３４１から下方へ突出する下方延長部３４２とを有する照明ユニット設置用梁である。
【００４９】
梁本体３４１は、水平に配置された上板部３４１ａと、上板部３４１ａの両側部からそれぞれ下方へ突出する一対の側板部３４１ｂとを有している。第３梁３４の長手方向に直交する平面における梁本体３４１の断面形状は、上板部３４１ａ及び一対の側板部３４１ｂによってＵ字状になっている。これにより、梁本体３４１には、上板部３４１ａ及び一対の側板部３４１ｂによって形成された凹部としての溝が第３梁３４の長手方向に沿って設けられている。第３梁３４は、梁本体３４１の溝を下方に向けて配置されている。梁本体３４１の長手方向両端部は、一対の第１梁９のそれぞれの下板部９ａの上面に載せられている。
【００５０】
各第１梁９の他端部のそれぞれの下板部９ａには、下方延長部３４２を通す切欠き部が設けられている。下方延長部３４２は、梁本体３４１の一対の側板部３４１ｂのうち、第２の天井板部材８から遠い側に位置する側板部３４１ｂの下端部から下方へ突出している。これにより、第２の天井板部材８の縦板部２２ａと下方延長部３４２とは、第３梁３４の梁本体３４１の下方の空間を介して互いに対向している。第３梁３４の下方延長部３４２の外面には、背面壁２ｃの上端部が締結具によって固定されている。
【００５１】
第１の天井板部材７の構成は、実施の形態１と同様である。第１の天井板部材７は、一対の第１梁９のそれぞれの下板部９ａの上面、第２梁３３の上板部３３１ａの上面及び第１の中間梁１２の上板部１２ａの上面に４つの取付部２２のそれぞれの横板部２２ｂを載せた状態で上枠６に保持されている。第１の天井板部材７は、第１の天井板部材７の本体板部２１が水平になるように上枠６に保持されている。
【００５２】
第２の天井板部材８の構成は、実施の形態１と同様である。第２の天井板部材８は、一対の第１梁９のそれぞれの下板部９ａの上面、第３梁３４の上板部３４１ａの上面及び第１の中間梁１２の上板部１２ａの上面に４つの取付部２２のそれぞれの横板部２２ｂを載せた状態で上枠６に保持されている。第２の天井板部材８は、第２の天井板部材８の本体板部２１が水平になるように上枠６に保持されている。
【００５３】
第１及び第２の天井板部材７，８のそれぞれの下面は、第２梁３３の梁本体３３１及び第３梁３４の梁本体３４１のそれぞれの下面よりも低い位置に配置されている。この例では、第１及び第２の天井板部材７，８のそれぞれの本体板部２１の上面及び下面がいずれも、梁本体３３１，３４１のそれぞれの下面よりも低い位置に位置している。
【００５４】
一方の端部照明ユニット３１は、第２梁３３の梁本体３３１の下方に配置されている。また、一方の端部照明ユニット３１は、第１の天井板部材７の縦板部２２ａと下方延長部３３２との間に配置されている。この例では、一方の端部照明ユニット３１が第２梁３３の長手方向に沿って配置されている。また、この例では、一方の端部照明ユニット３１の下面、第１の天井板部材７の下面、及び第２梁３３の下方延長部３３２の下面が、同一の水平面に位置している。一方の端部照明ユニット３１の下面は、第２梁３３の下方延長部３３２の下面よりも高い位置に位置していてもよい。一方の端部照明ユニット３１は、第２梁３３に取り付けられた取付部２２の縦板部２２ａ、及び第２梁３３の下方延長部３３２のそれぞれに締結具によって固定されている。
【００５５】
他方の端部照明ユニット３２は、第３梁３４の梁本体３４１の下方に配置されている。また、他方の端部照明ユニット３２は、第２の天井板部材８の縦板部２２ａと下方延長部３４２との間に配置されている。この例では、他方の端部照明ユニット３２が第３梁３４の長手方向に沿って配置されている。また、この例では、他方の端部照明ユニット３２の下面、第２の天井板部材８の下面、及び第３梁３４の下方延長部３４２の下面が、同一の水平面に位置している。他方の端部照明ユニット３２の下面は、第３梁３４の下方延長部３４２の下面よりも高い位置に位置していてもよい。他方の端部照明ユニット３２は、第３梁３４に取り付けられた取付部２２の縦板部２２ａ、及び第３梁３４の下方延長部３４２のそれぞれに締結具によって固定されている。他の構成は実施の形態１と同様である。
【００５６】
このようなかご天井装置１では、一方の端部照明ユニット３１が、第２梁３３の梁本体３３１の下方に配置され、かつ第２梁３３の下方延長部３３２と第１の天井板部材７との間に配置されている。また、他方の端部照明ユニット３２が、第３梁３４の梁本体３４１の下方に配置され、かつ第３梁３４の下方延長部３４２と第２の天井板部材８との間に配置されている。このため、一対の端部照明ユニット３１，３２を天井ユニット４に設置することができ、かごの内部の空間に対する照明を一対の端部照明ユニット３１，３２によって行うことができる。また、第１及び第２の天井板部材７，８のそれぞれの下面の高さから各端部照明ユニット３１，３２の一部がかごの内部の空間へ突出することを防止することができる。これにより、かごの内部の空間でのかご天井装置１の意匠性の向上を図ることができる。また、かごの内部の空間に入った運搬物が各端部照明ユニット３１，３２に当たることを防止することができる。これにより、各端部照明ユニット３１，３２の破損の防止を図ることもできる。さらに、一方の端部照明ユニット３１が第２梁３３の梁本体３３１の下方に配置され、他方の端部照明ユニット３２が第３梁３４の梁本体３４１の下方に配置されていることから、各端部照明ユニット３１，３２を配置するスペースを第１及び第２の天井板部材７，８に新たに確保する必要がなくなる。従って、各端部照明ユニット３１，３２が天井ユニット４に設置されても第１及び第２の天井板部材７，８のそれぞれの天蓋面の広さが狭くなることはない。これにより、かごの上部で作業する作業者のスペースを十分に確保することができる。
【００５７】
なお、上記の例では、第２梁３３及び第３梁３４のそれぞれが、梁本体３３１，３４１及び下方延長部３３２，３４２を有する照明ユニット設置用梁となっているが、第２梁３３及び第３梁３４のいずれかのみが照明ユニット設置用梁となっていてもよい。この場合、端部照明ユニット３１，３２は、第２梁３３及び第３梁３４のうち、照明ユニット設置用梁となっている梁の梁本体の下方にのみ配置される。
【００５８】
実施の形態３．
図７は、この発明の実施の形態３によるエレベータのかご天井装置を示す縦断面図である。また、図８は、図７のＶＩＩＩ−ＶＩＩＩ線に沿った断面図である。さらに、図９は、図７のＩＸ−ＩＸ線に沿った断面図である。なお、図７は、図８のＶＩＩ−ＶＩＩ線に沿った断面図である。かご天井装置１は、天井ユニット４と、天井ユニット４にそれぞれ保持されている第１の中間照明ユニット５及び一対の第２の中間照明ユニット４１，４２とを有している。第１の中間照明ユニット５及び一対の第２の中間照明ユニット４１，４２は、かごの内部の空間に対する照明を行う。
【００５９】
天井ユニット４は、上枠６と、上枠６に複数の天井板部材として保持されている第１〜第４の天井板部材４３〜４６とを有している。
【００６０】
図１０は、図７の上枠６を示す上面図である。上枠６は、一対の第１梁９と、第２梁１０と、第３梁１１と、第１の中間梁１２と、一対の第２の中間梁５１，５２とを複数の梁として有している。一対の第１梁９、第２梁１０、第３梁１１及び第１の中間梁１２のそれぞれの構成は、実施の形態１と同様である。
【００６１】
一対の第２の中間梁５１，５２のそれぞれは、一対の第１梁９の間に配置されている。一方の第２の中間梁５１は、第２梁１０及び第１の中間梁１２のそれぞれの中間部同士を連結している。他方の第２の中間梁５２は、第３梁１１及び第１の中間梁１２のそれぞれの中間部同士を連結している。上枠６は、各第１梁９、第２梁１０、第３梁１１、第１の中間梁１２及び各第２の中間梁５１，５２をそれぞれ水平にして配置されている。
【００６２】
一方の第２の中間梁５１は、図８に示すように、水平に配置された上板部５１ａと、上板部５１ａの両側部からそれぞれ下方へ突出している一対の側板部５１ｂとを有している。また、一方の第２の中間梁５１の長手方向に直交する平面における第２の中間梁５１の断面形状は、上板部５１ａ及び一対の側板部５１ｂによってＵ字状になっている。これにより、一方の第２の中間梁５１には、上板部５１ａ及び一対の側板部５１ｂによって形成された第２の凹部としての溝５３が第２の中間梁５１の長手方向に沿って設けられている。一方の第２の中間梁５１は、第２の中間梁５１の溝５３を下方に向けて配置されている。この例では、図７に示すように、一方の第２の中間梁５１の一端部が第１梁９の下板部９ａの上面に載せられ、一方の第２の中間梁５１の他端部が第１の中間梁１２の側板部１２ｂに接続されている。これにより、この例では、一方の第２の中間梁５１の下面の位置が各第１梁９の下面よりも高い位置となっている。
【００６３】
他方の第２の中間梁５２は、図９に示すように、水平に配置された上板部５２ａと、上板部５２ａの両側部からそれぞれ下方へ突出している一対の側板部５２ｂとを有している。また、他方の第２の中間梁５２の長手方向に直交する平面における第２の中間梁５２の断面形状は、上板部５２ａ及び一対の側板部５２ｂによってＵ字状になっている。これにより、他方の第２の中間梁５２には、上板部５２ａ及び一対の側板部５２ｂによって形成された第２の凹部としての溝５４が第２の中間梁５２の長手方向に沿って設けられている。他方の第２の中間梁５２は、第２の中間梁５２の溝５４を下方に向けて配置されている。この例では、図７に示すように、他方の第２の中間梁５２の一端部が第１梁９の下板部９ａの上面に載せられ、他方の第２の中間梁５２の他端部が第１の中間梁１２の側板部１２ｂに接続されている。これにより、この例では、他方の第２の中間梁５２の下面の位置が各第１梁９の下面よりも高い位置となっている。
【００６４】
この例では、各第２の中間梁５１，５２の幅寸法が各第２の中間梁５１，５２の高さ方向のどの位置でも一定となっている。また、この例では、上枠６を上から見たときの各第２の中間梁５１，５２のそれぞれの面積が０．１２ｍ2以下になっている。即ち、各第２の中間梁５１，５２のそれぞれにおいて、幅方向寸法Ｗ２と、長手方向寸法Ｌ２との積、即ちＷ２×Ｌ２の値が０．１２ｍ2以下になっている。
【００６５】
上枠６には、図１０に示すように、一対の第１梁９、第２梁１０、第３梁１１、第１の中間梁１２及び一対の第２の中間梁５１，５２のうち、４つの梁でそれぞれ囲まれた第１〜第４の開口部５５〜５８が複数の開口部として形成されている。第１の開口部５５は、一方の第１梁９、第２梁１０、第１の中間梁１２及び一方の第２の中間梁５１で囲まれている。第２の開口部５６は、他方の第１梁９、第２梁１０、第１の中間梁１２及び一方の第２の中間梁５１で囲まれている。第３の開口部５７は、一方の第１梁９、第３梁１１、第１の中間梁１２及び他方の第２の中間梁５２で囲まれている。第４の開口部５８は、他方の第１梁９、第３梁１１、第１の中間梁１２及び他方の第２の中間梁５２で囲まれている。第１〜第４の開口部５５〜５８のそれぞれの形状は、四角形状である。
【００６６】
第１〜第４の天井板部材４３〜４６は、図７〜図１０に示すように、第１〜第４の開口部５５〜５８にそれぞれ個別に配置されている。第１〜第４の天井板部材４３〜４６は、当該天井板部材が配置された開口部を囲む４つの梁のそれぞれに保持されている。即ち、第１の天井板部材４３は、第１の開口部５５を囲む４つの梁のそれぞれに保持されている。第２の天井板部材４４は、第２の開口部５６を囲む４つの梁のそれぞれに保持されている。第３の天井板部材４５は、第３の開口部５７を囲む４つの梁のそれぞれに保持されている。第４の天井板部材４６は、第４の開口部５８を囲む４つの梁のそれぞれに保持されている。
【００６７】
第１〜第４の天井板部材４３〜４６の構成は、実施の形態１の第１及び第２の天井板部材７，８の構成と同様である。第１〜第４の天井板部材４３〜４６は、当該天井板部材が配置された開口部を囲む４つの梁に４つの取付部２２のそれぞれの横板部２２ｂを載せた状態で上枠６に保持されている。
【００６８】
即ち、第１の天井板部材４３は、一方の第１梁９の下板部９ａの上面、第２梁１０の下板部１０ａの上面、第１の中間梁１２の上板部１２ａの上面及び一方の第２の中間梁５１の上板部５１ａの上面に４つの取付部２２のそれぞれの横板部２２ｂを載せた状態で上枠６に保持されている。
【００６９】
第２の天井板部材４４は、他方の第１梁９の下板部９ａの上面、第２梁１０の下板部１０ａの上面、第１の中間梁１２の上板部１２ａの上面及び一方の第２の中間梁５１の上板部５１ａの上面に４つの取付部２２のそれぞれの横板部２２ｂを載せた状態で上枠６に保持されている。
【００７０】
第３の天井板部材４５は、一方の第１梁９の下板部９ａの上面、第３梁１１の下板部１１ａの上面、第１の中間梁１２の上板部１２ａの上面及び他方の第２の中間梁５２の上板部５２ａの上面に４つの取付部２２のそれぞれの横板部２２ｂを載せた状態で上枠６に保持されている。
【００７１】
第４の天井板部材４６は、他方の第１梁９の下板部９ａの上面、第３梁１１の下板部１１ａの上面、第１の中間梁１２の上板部１２ａの上面及び他方の第２の中間梁５２の上板部５２ａの上面に４つの取付部２２のそれぞれの横板部２２ｂを載せた状態で上枠６に保持されている。
【００７２】
第１〜第４の天井板部材４３〜４６は、第１〜第４の天井板部材４３〜４６のそれぞれの本体板部２１が水平になるように上枠６に保持されている。また、第１〜第４の天井板部材４３〜４６のそれぞれの下面は、第１の中間梁１２及び各第２の中間梁５１，５２のそれぞれの下面よりも低い位置に配置されている。
【００７３】
一対の第２の中間照明ユニット４１，４２のうち、一方の第２の中間照明ユニット４１は、図８に示すように、一方の第２の中間梁５１の下方に配置されている。また、一方の第２の中間照明ユニット４１は、一方の第２の中間梁５１を挟んで配置された第１及び第２の天井板部材４３，４４の間に配置されている。この例では、一方の第２の中間照明ユニット４１が一方の第２の中間梁５１の長手方向に沿って配置されている。また、この例では、一方の第２の中間照明ユニット４１の下面が第１〜第４の天井板部材４３〜４６のそれぞれの下面、即ち天井意匠面と同一の水平面に位置している。一方の第２の中間照明ユニット４１は、一方の第２の中間梁５１を挟んで配置されている２つの縦板部２２ａのそれぞれに締結具によって固定されている。
【００７４】
他方の第２の中間照明ユニット４２は、図９に示すように、他方の第２の中間梁５２の下方に配置されている。また、他方の第２の中間照明ユニット４２は、他方の第２の中間梁５２を挟んで配置された第３及び第４の天井板部材４５，４６の間に配置されている。この例では、他方の第２の中間照明ユニット４２が他方の第２の中間梁５２の長手方向に沿って配置されている。また、この例では、他方の第２の中間照明ユニット４２の下面が第１〜第４の天井板部材４３〜４６のそれぞれの下面、即ち天井意匠面と同一の水平面に位置している。他方の第２の中間照明ユニット４２は、他方の第２の中間梁５２を挟んで配置されている２つの縦板部２２ａのそれぞれに締結具によって固定されている。他の構成は実施の形態１と同様である。
【００７５】
このようなかご天井装置１では、一対の第２の中間梁５１，５２のうち、一方の第２の中間梁５１が第２梁１０と第１の中間梁１２との間に配置され、他方の第２の中間梁５２が第３梁１１と第１の中間梁１２との間に配置されている。このため、第２梁１０及び第３梁１１のそれぞれの長手方向へかごの平面サイズが大きくなっても、第２梁１０及び第３梁１１のそれぞれの長手方向についてのかごのサイズよりも小さいサイズの第１〜第４の天井板部材４３〜４６を複数の天井板部材として上枠６に保持することができる。これにより、天井ユニット４の剛性の低下をさらに確実に抑制することができる。
【００７６】
また、一方の第２の中間照明ユニット４１は、一方の第２の中間梁５１を挟んで配置されている第１及び第２の天井板部材４３，４４の間に配置されている。さらに、他方の第２の中間照明ユニット４２は、他方の第２の中間梁５２を挟んで配置された第３及び第４の天井板部材４５，４６の間に配置されている。このため、かごの内部の空間における照明の範囲をさらに広げることができる。また、第１〜第４の天井板部材４３〜４６のそれぞれの下面の高さから各第２の中間照明ユニット４１，４２のそれぞれの一部がかごの内部の空間へ突出することを防止することができる。これにより、かごの内部の空間でのかご天井装置１の意匠性の向上を図ることができる。さらに、かごの内部の空間に入った運搬物が各第２の中間照明ユニット４１，４２に当たることを防止することができる。これにより、各第２の中間照明ユニット４１，４２の破損の防止を図ることもできる。また、各第２の中間照明ユニット４１，４２を配置するスペースを第１〜第４の天井板部材４３〜４６に新たに確保する必要がなくなる。これにより、かごの上部で作業する作業者のスペースを十分に確保することができる。
【００７７】
また、上枠６を上から見たときの各第２の中間梁５１，５２のそれぞれの面積は、０．１２ｍ2以下である。このため、各第２の中間梁５１，５２の上面よりも低い位置に配置された本体板部２１の天蓋面に作業者が乗って作業を行う状態をより確実に確保することができる。従って、かごの上部に設置されているかご上手摺の高さの設定を、天井板部材の本体板部２１の天蓋面を基準にして行うことができ、かご上手摺の高さの増大を抑制することができる。これにより、エレベータのオーバヘッド寸法、即ち最上階の床面と昇降路の天井部との間の距離を小さくすることができる。
【００７８】
なお、上記の例では、一方の第２の中間梁５１の下方に一方の第２の中間照明ユニット４１が配置され、他方の第２の中間梁５２の下方に他方の第２の中間照明ユニット４２が配置されている。しかし、一対の第２の中間照明ユニット４１，４２のいずれかがなくてもよい。
【００７９】
また、上記の例では、一方の第２の中間照明ユニット４１が一方の第２の中間梁５１の溝５３に挿入されていない。しかし、一方の第２の中間梁５１の溝５３に一方の第２の中間照明ユニット４１の少なくとも一部を配置してもよい。例えば、一方の第２の中間照明ユニット４１の上部を一方の第２の中間梁５１の溝５３に配置してもよいし、一方の第２の中間照明ユニット４１の全部を一方の第２の中間梁５１の溝５３に配置してもよい。
【００８０】
また、上記の例では、他方の第２の中間照明ユニット４２が他方の第２の中間梁５２の溝５４に挿入されていない。しかし、他方の第２の中間梁５２の溝５４に他方の第２の中間照明ユニット４２の少なくとも一部を配置してもよい。例えば、他方の第２の中間照明ユニット４２の上部を他方の第２の中間梁５２の溝５４に配置してもよいし、他方の第２の中間照明ユニット４２の全部を他方の第２の中間梁５２の溝５４に配置してもよい。
【００８１】
また、上記の例では、一方の第２の中間梁５２の幅寸法が一方の第２の中間梁５２の高さ方向のどの位置でも一定となっている。しかし、一方の第２の中間梁５１の上部の幅寸法が一方の第２の中間梁５１の下部の幅寸法よりも小さくなるようにしてもよい。この場合、一方の第２の中間梁５１の上部の少なくとも一方の角部には、傾斜面が設けられる。これにより、一方の第２の中間梁５１の幅寸法は、一方の第２の中間梁５１の下部から上部に向かって連続的に小さくなる。従って、一方の第２の中間梁５１の上面の幅寸法は、一方の第２の中間梁５１の下面の幅寸法よりも小さくなる。これにより、作業者が一方の第２の中間梁５１の上面に立つことをさらに確実に防止することができる。
【００８２】
また、上記の例では、他方の第２の中間梁５２の幅寸法が他方の第２の中間梁５２の高さ方向のどの位置でも一定となっている。しかし、他方の第２の中間梁５２の上部の幅寸法が他方の第２の中間梁５２の下部の幅寸法よりも小さくなるようにしてもよい。この場合、他方の第２の中間梁５２の上部の少なくとも一方の角部には、傾斜面が設けられる。これにより、他方の第２の中間梁５２の幅寸法は、他方の第２の中間梁５２の下部から上部に向かって連続的に小さくなる。従って、他方の第２の中間梁５２の上面の幅寸法は、他方の第２の中間梁５２の下面の幅寸法よりも小さくなる。これにより、作業者が他方の第２の中間梁５２の上面に立つことをさらに確実に防止することができる。
【００８３】
また、上記の例では、上枠６に含まれる一方の第２の中間梁５１の数が１つとなっている。しかし、上枠６に含まれる一方の第２の中間梁５１の数を複数にしてもよい。この場合、複数の第２の中間梁５１は、第２梁１０の長手方向へ互いに離して配置される。また、この場合、各第２の中間梁５１が第２梁１０と第１の中間梁１２とを連結する。
【００８４】
また、上枠６に含まれる一方の第２の中間梁５１の数を複数にした場合、各第２の中間梁５１のそれぞれの下方に一方の第２の中間照明ユニット４１をそれぞれ配置してもよい。この場合、一方の第２の中間梁５１を挟む２つの天井板部材の間に第２の中間照明ユニット４１が配置される。
【００８５】
また、上記の例では、上枠６に含まれる他方の第２の中間梁５２の数が１つとなっている。しかし、上枠６に含まれる他方の第２の中間梁５２の数を複数にしてもよい。この場合、複数の第２の中間梁５２は、第３梁１１の長手方向へ互いに離して配置される。また、この場合、各第２の中間梁５２が第３梁１１と第１の中間梁１２とを連結する。
【００８６】
また、上枠６に含まれる他方の第２の中間梁５２の数を複数にした場合、各第２の中間梁５２のそれぞれの下方に他方の第２の中間照明ユニット４２をそれぞれ配置してもよい。この場合、他方の第２の中間梁５２を挟む２つの天井板部材の間に第２の中間照明ユニット４２が配置される。
【００８７】
また、各上記実施の形態では、本体板部２１及び４つの取付部２２が一枚の単一板を折り曲げて一体に形成されている。しかし、４つの取付部２２のうちの一部の取付部と本体板部２１とを一枚の単一板を折り曲げて一体に形成し、残りの取付部２２を別個に作製した後、残りの取付部２２を本体板部２１に溶接等によって接合することにより、本体板部２１及び４つの取付部２２を一体にしてもよい。例えば、本体板部２１の左右に位置する２つの取付部２２と本体板部２１とを一枚の単一板を折り曲げて一体に形成し、本体板部２１の前後に位置する２つの取付部２２を本体板部２１とは別個に作製した後、前後の取付部２２を本体板部２１に溶接等によって接合することにより、本体板部２１及び４つの取付部２２を一体にしてもよい。
【００８８】
また、各上記実施の形態では、本体板部２１の外周部に設けられた４つの取付部２２のすべてが、縦板部２２ａ及び横板部２２ｂを有している。しかし、４つの取付部２２のうち、３つの取付部２２が縦板部２２ａ及び横板部２２ｂを有していればよい。この場合、残りの１つの取付部２２では、横板部２２ｂがなく縦板部２２ａのみとされる。また、残りの１つの取付部２２では、縦板部２２ａが締結具によって梁に取り付けられる。このようにしても、４つの取付部２２を梁に締結する複数の締結具がすべて緩んだ場合でも、３つの横板部２２ｂが梁に載せられた状態を保つことができ、各天井板部材が上枠６から落下することを防止することができる。
【００８９】
また、各上記実施の形態では、第１の中間梁１２の下面の位置が各第１梁９のそれぞれの下面よりも高い位置となっている。しかし、第１の中間梁１２の下面を各第１梁９のそれぞれの下面と同一の水平面に位置させてもよい。この場合、第１梁９の下板部９ａが嵌る切欠きが第１の中間梁１２の両端部の下面に設けられる。
【００９０】
また、各上記実施の形態では、第１の中間梁１２の高さ方向のどの位置でも第１の中間梁１２の幅寸法が一定となっている。しかし、第１の中間梁１２の下部よりも第１の中間梁１２の上部において第１の中間梁１２の幅寸法が小さくなるようにしてもよい。この場合、第１の中間梁１２の上部の少なくとも一方の角部には、傾斜面が設けられる。これにより、第１の中間梁１２の幅寸法は、第１の中間梁１２の下部から上部に向かって連続的に小さくなる。従って、第１の中間梁１２の上面の幅寸法は、第２の中間梁１２の下面の幅寸法よりも小さくなる。このように、第１の中間梁１２の上部の幅寸法が第１の中間梁１２の下部の幅寸法よりも小さくなっていることにより、作業者が第１の中間梁１２の上面に立つことをさらに確実に防止することができる。従って、第１の中間梁１２の上面よりも低い位置に配置された本体板部２１の天蓋面に作業者が乗って作業を行う状態をさらに確実に確保することができる。
【００９１】
また、各上記実施の形態では、第１の中間照明ユニット５が第１の中間梁１２の溝１３に挿入されていない。しかし、第１の中間梁１２の溝１３に第１の中間照明ユニット５の少なくとも一部を配置してもよい。例えば、第１の中間照明ユニット５の上部を第１の中間梁１２の溝１３に配置してもよいし、第１の中間照明ユニット５の全部を第１の中間梁１２の溝１３に配置してもよい。このようにすれば、かご床に対する第１の中間照明ユニット５及び各天井板部材のそれぞれの下面の高さを上げることができ、かごの内部の空間を広げることができる。
【００９２】
また、各上記実施の形態では、一対の第１梁９がかごの奥行き方向に沿って配置されているが、これに限定されない。例えば、一対の第１梁９がかごの幅方向に沿って配置されていてもよい。
【符号の説明】
【００９３】
１  かご天井装置、４  天井ユニット、５  第１の中間照明ユニット、６  上枠、７，４３  第１の天井板部材、８，４４  第２の天井板部材、９  第１梁、１０  第２梁、１１  第３梁、１２  第１の中間梁、１３  溝（第１の凹部）、１４，５５  第１の開口部、１５，５６  第２の開口部、２１  本体板部、２２  取付部、２２ａ  縦板部、２２ｂ  横板部、３１，３２  端部照明ユニット、４１，４２  第２の中間照明ユニット、４５  第３の天井板部材、４６  第４の天井板部材、５１，５２  第２の中間梁、５３，５４  溝（第２の凹部）、５７  第３の開口部、５８  第４の開口部、３３１，３４１  梁本体、３３２，３４２  下方延長部。
【図１】
2019176105.tif 000003
【図２】
2019176105.tif 000004
【図３】
2019176105.tif 000005
【図４】
2019176105.tif 000006
【図５】
2019176105.tif 000007
【図６】
2019176105.tif 000008
【図７】
2019176105.tif 000009
【図８】
2019176105.tif 000010
【図９】
2019176105.tif 000011
【図１０】
2019176105.tif 000012
【国際調査報告】
2019176105.tif 000013
2019176105.tif 000014
2019176105.tif 000015
2019176105.tif 000016